(57)【要約】【課題】複数種類の外部入力に対応でき、使い勝手のよい温調システムを提供すること。【解決手段】温調システムが、温水または冷水が供給される温調パネル（Ｐ１〜Ｐ８）と、複数種類の外部入力信号のいずれか１つが接続可能な１つの入力端子（２３０）と、上記入力端子（２３０）に接続された外部入力信号に応じて、上記温調パネルの放熱量または吸熱量を制御する制御部（２２２）と、を備える。【選択図】図１
2016125728.tif 000002
【特許請求の範囲】
【請求項１】
温水または冷水が供給される温調パネル（Ｐ１〜Ｐ８）と、
複数種類の外部入力信号のいずれか１つが接続可能な１つの入力端子（２３０）と、
上記入力端子に接続された外部入力信号に応じて、上記温調パネル（Ｐ１〜Ｐ８）の放熱量または吸熱量を制御する制御部（２２２）と、
を備えることを特徴とする温調システム。
【請求項２】
請求項１に記載の温調システムにおいて、
上記外部入力信号が、上記温調パネル（Ｐ１〜Ｐ８）に供給される冷水による結露の発生を検出する結露センサからの結露検出信号であり、
上記制御部（２２２）が、上記結露検出信号に基づいて、上記温調パネル（Ｐ１〜Ｐ８）の吸熱量を制御することを特徴とする温調システム。
【請求項３】
請求項１に記載の温調システムにおいて、
上記外部入力信号が、上記温水または冷水を生成するための熱源（１００）からの温度制御信号であり、
上記制御部（２２２）が、上記温度制御信号に基づいて、上記温調パネル（Ｐ１〜Ｐ８）の放熱量または吸熱量を制御することを特徴とする温調システム。
【請求項４】
請求項１に記載の温調システムにおいて、
上記温調パネルが融雪パネル（Ｐ８）であって、
上記外部入力信号が、上記融雪パネル上の雪を溶かすための指令信号を検出する融雪センサからの融雪信号であり、
上記制御部（２２２）が、上記融雪信号に基づいて、上記融雪パネル（Ｐ８）の放熱量を制御することを特徴とする温調システム。
【発明の詳細な説明】
【技術分野】
【０００１】
本発明は、温調システムに関し、詳しくは、温水を利用した暖房運転または冷水を利用した冷房運転のうちの少なくとも一方を行う温調システムに関する。
【背景技術】
【０００２】
従来、特許文献１に記載された給湯装置がある。この給湯装置は、インターネットを通じて気象予測情報を取得し、取得した気象予測情報に応じて、温水を作るために、深夜電力を利用するか、あるいは、太陽光の発電電力を利用するかを判断している。
【先行技術文献】
【特許文献】
【０００３】
【特許文献１】特開２００８−００２７０３号公報
【発明の概要】
【発明が解決しようとする課題】
【０００４】
ところで、上記給湯装置を温調システムに用いた場合、気象予測情報を表す外部入力信号に応じて、冷暖房運転等を行うことが考えられる。しかし、この温調システムでは、気象予測情報を表す外部入力信号以外の他の外部入力信号に対応するためには、他の外部入力信号に対応するための新たな手段を設ける必要があり、使い勝手が悪い。
【０００５】
そこで、本発明の課題は、複数種類の外部入力に対応でき、使い勝手のよい温調システムを提供することにある。
【課題を解決するための手段】
【０００６】
上記課題を解決するため、本発明の温調システムは、
温水または冷水が供給される温調パネルと、
複数種類の外部入力信号のいずれか１つが接続可能な１つの入力端子と、
上記入力端子に接続された外部入力信号に応じて、上記温調パネルの放熱量または吸熱量を制御する制御部と、
を備えることを特徴としている。
【０００７】
上記構成によれば、複数種類の外部入力信号が接続可能な１つの入力端子を備え、この入力端子に接続された外部入力信号に応じて、温調パネルの放熱量または吸熱量が制御される。このため、複数種類の外部入力に対応でき、使い勝手のよい温調システムを得ることができる。
【０００８】
また、一実施形態の温調システムでは、
上記外部入力信号が、上記温調パネルに供給される冷水による結露の発生を検出する結露センサからの結露検出信号であり、
上記制御部が、上記結露検出信号に基づいて、上記温調パネルの吸熱量を制御する。
【０００９】
上記実施形態によれば、結露センサからの検出信号に基づいて、温調システムに結露が発生しないように、温調パネルの吸熱量が制御される。このため、例えば導通不良などの結露により引き起こされる不具合の発生を防止できる。
【００１０】
また、一実施形態の温調システムでは、
上記外部入力信号が、上記温水または冷水を生成するための熱源からの温度制御信号であり、
上記制御部が、上記温度制御信号に基づいて、上記温調パネルの放熱量または吸熱量を制御する。
【００１１】
上記実施形態によれば、例えば熱源に異常が発生した場合に、温調パネルに供給される温水または冷水の温度を変更したり、温調システムの運転を停止させたりして、事故を未然に防ぐことができる。
【００１２】
また、一実施形態の温調システムでは、
上記温調パネルが融雪パネルであって、
上記外部入力信号が、上記融雪パネル上の雪を溶かすための指令信号を検出する融雪センサからの融雪信号であり、
上記制御部が、上記融雪信号に基づいて、上記融雪パネルの放熱量を制御する。
【００１３】
上記実施形態によれば、融雪信号が出力された場合に、融雪パネルの放熱量が制御される。このため、融雪パネル上の雪を除去できる。
【発明の効果】
【００１４】
本発明によれば、複数種類の外部入力に対応でき、使い勝手のよい温調システムを実現できる。
【図面の簡単な説明】
【００１５】
【図１】本発明の一実施形態の温調システムの概略構成図である。
【図２】上記温調システムのリモートコントローラの概略正面図である。
【図３】上記リモートコントローラの画面表示を説明するための図である。
【図４】上記リモートコントローラの冷暖房の能力設定目盛について説明するための図である。
【図５】上記リモートコントローラの冷暖房の能力設定目盛について説明するための図である。
【図６】上記リモートコントローラの冷暖房の能力設定目盛について説明するための図である。
【発明を実施するための形態】
【００１６】
以下、本発明の温調システムを図示の実施形態により詳細に説明する。
【００１７】
図１は本発明の一実施形態の温調システムの概略構成図を示している。
【００１８】
〔温調システムの全体構成〕
上記温調システムは、熱源の一例である室外機１００と、この室外機１００に接続された床冷暖房ユニット２００と、この床冷暖房ユニット２００に接続された温調パネルの一例としての第１〜第８床冷暖房パネルＰ１〜Ｐ８と、リモートコントローラ４００とを備える。
【００１９】
〔室外機１００の構成〕
上記室外機１００は、圧縮機１０１と、四路切換弁１０２と、室外熱交換器１０３と、電動膨張弁１０４およびアキュムレータ１０５を有する。この電動膨張弁１０４の一端には、室外熱交換器１０３の一端が接続され、電動膨張弁１０４の他端には、床冷暖房ユニット２００の水熱交換器２０１の他端が接続されている。また、四路切換弁１０２の第１ポート１０２ａは、圧縮機１０１の吐出側に接続されている。また、四路切換弁１０２の第２ポート１０２ｂは、室外熱交換器１０３の他端に接続されている。また、四路切換弁１０２の第３ポート１０２ｃは、アキュムレータ１０５を介して圧縮機１０１の吸入側に接続されている。また、四路切換弁１０２の第４ポート１０２ｄは、床冷暖房ユニット２００の水熱交換器２０１の一端に接続されている。この水熱交換器２０１には、プレート式水熱交換器を用いている。
【００２０】
暖房運転時、四路切換弁１０２を実線の切換位置に切り換えて、第１ポート１０２ａと第４ポート１０２ｄとの間が連通すると共に、第２ポート１０２ｂと第３ポート１０２ｃとの間が連通する。
【００２１】
一方、冷房運転時、四路切換弁１０２を点線の切換位置に切り換えて、第１ポート１０２ａと第２ポート１０２ｂとの間が連通すると共に、第３ポート１０２ｃと第４ポート１０２ｄとの間が連通する。
【００２２】
また、上記室外機１００は、第１〜第４温度センサ１０６〜１０９と、室外温度センサ１１０と、第１〜第４温度センサ１０６〜１０９により検出された冷媒温度および室外温度センサ１１０により検出された室外温度を表す信号を受ける室外機用制御装置１２０とを有する。上記第１〜第４温度センサ１０６〜１０９および室外温度センサ１１０は、例えばサーミスタからなる。
【００２３】
上記第１温度センサ１０６は、電動膨張弁１０４と水熱交換器２０１との間の冷媒の温度を検出する。上記第２温度センサ１０７は、四路切換弁１０２の第４ポート１０２ｄと水熱交換器２０１との間の冷媒の温度を検出する。上記第３温度センサ１０８は、圧縮機１０１と四路切換弁１０２の第１ポート１０２ａとの間の冷媒の温度を検出する。上記第４温度センサ１０９は、室外熱交換器１０３内の冷媒の温度を検出する。上記室外温度センサ１１０は、外気温度を検出する。
【００２４】
上記室外機用制御装置１２０は、インバータ(図示せず)を介して、圧縮機１０１の運転周波数を制御する。この室外機用制御装置１２０は、水熱交換器２０１および室外熱交換器１０３の熱交換効率が最適となるように、電動膨張弁１０４の開度も制御する。また、室外機用制御装置１２０は、図示しない信号線を介して床冷暖房ユニット用制御装置２２０に接続されており、室外機用制御装置１２０と床冷暖房ユニット用制御装置２２０は、互いに協調動作する。
【００２５】
また、上記室外熱交換器１０３、圧縮機１０１、水熱交換器２０１および電動膨張弁１０４を環状に接続することにより冷媒回路を構成している。
【００２６】
また、図示しないが、室外熱交換器１０３の近傍には室外ファンが配置されている。この室外ファンが室外熱交換器１０３に送風を行う。
【００２７】
〔床冷暖房ユニット２００の構成〕
上記床冷暖房ユニット２００は、水熱交換器２０１、膨張タンク２０２、循環ポンプ２０３、往きヘッダ２０４および戻りヘッダ２０５を有する。
【００２８】
上記水熱交換器２０１は凝縮器または蒸発器として機能する。すなわち、水熱交換器２０１は、冷媒と水との熱交換を行う。これにより、水熱交換器２０１で所望の温度の温水または冷水が生成される。また、水熱交換器２０１には、室外機１００からの冷媒が流れる流路と、第１〜第８床冷暖房パネルＰ１〜Ｐ８からの戻り水が流れる流路とが設けられている。
【００２９】
上記膨張タンク２０２は、正負圧弁が付いており、水熱交換器２０１からの温水(または冷水)が溜まる。また、膨張タンク２０２の上部には給水口２０２ａが設けられており、給水口２０２ａから膨張タンク２０２内に水が必要時に補充される。
【００３０】
上記循環ポンプ２０３は、吸入側が膨張タンク２０２に接続されている一方、吐出側が往きヘッダ２０４に接続されている。これにより、循環ポンプ２０３は、水熱交換器２０１を通過する冷媒と熱交換した温水(または冷水)を第１〜第８床冷暖房パネルＰ１〜Ｐ８に送ることができるようになっている。
【００３１】
また、上記往きヘッダ２０４には、第１〜第８熱動弁Ｖ１〜Ｖ８の一端と、水抜き栓Ｖ９の一端とが接続されている。この第１〜第８熱動弁Ｖ１〜Ｖ８の他端には、第１〜第８床冷暖房パネルＰ１〜Ｐ８の水入口が接続されている。第１〜第８熱動弁Ｖ１〜Ｖ８は、第１〜第８床冷暖房パネルＰ１〜Ｐ８に温水(または冷水)を供給するための流路を開閉する開閉弁である。
【００３２】
上記第１〜第８熱動弁Ｖ１〜Ｖ８は、温水(または冷水)の流れを制御する。より詳しくは、第１〜第８熱動弁Ｖ１〜Ｖ８は、床冷暖房ユニット用制御装置２２０によって制御され、第１〜第８床冷暖房パネルＰ１〜Ｐ８の冷暖房能力設定に対応する開閉動作を行う。
【００３３】
また、上記戻りヘッダ２０５には、第１〜第８床冷暖房パネルＰ１〜Ｐ８の水出口が接続されている。これにより、第１〜第８床冷暖房パネルＰ１〜Ｐ８の温水(または冷水)が、床冷暖房ユニット２００に戻り、水回路２１１を循環できるようになっている。
【００３４】
また、上記床冷暖房ユニット２００は、第１,第２水温センサ２１２,２１３、冷媒温度センサ２１４、冷媒圧センサ２１５、床冷暖房ユニット用制御装置２２０および１つの入力端子２３０を有する。上記第１,第２水温センサ２１２,２１３と冷媒温度センサ２１４は、例えばサーミスタからなる。
【００３５】
上記第１水温センサ２１２は、膨張タンク２０２から往きヘッダ２０４へ向かって流れる温水(または冷水)の温度を検出し、この温度を表す信号を床冷暖房ユニット用制御装置２２０に送出する。
【００３６】
上記第２水温センサ２１３は、戻りヘッダ２０５から水熱交換器２０１へ向かって流れる温水(または冷水)の温度を検出し、この温度を表す信号を床冷暖房ユニット用制御装置２２０に送出する。
【００３７】
上記冷媒温度センサ２１４は、電動膨張弁１０４と水熱交換器２０１の他端とを接続する冷媒配管かつ水熱交換器２０１の近傍に配置されている。この冷媒温度センサ２１４は、電動膨張弁１０４と水熱交換器２０１の間の冷媒の温度を検出し、この温度を表す信号を床冷暖房ユニット用制御装置２２０に送出する。
【００３８】
上記冷媒圧センサ２１５は、四路切換弁１０２と水熱交換器２０１の一端とを接続する冷媒配管かつ水熱交換器２０１の近傍に配置されている。また、冷媒圧センサ２１５は、四路切換弁１０２の第４ポート１０２ｄと水熱交換器２０１との間の冷媒の圧力を検出し、この圧力を表す信号を床冷暖房ユニット用制御装置２２０に送出する。
【００３９】
上記床冷暖房ユニット用制御装置２２０は、リモートコントローラ４００から、第１〜第８床冷暖房パネルＰ１〜Ｐ８の冷暖房能力設定を表す信号を受信する。また、床冷暖房ユニット用制御装置２２０は、リモートコントローラ４００からの信号などに基づいて、循環ポンプ２０３および第１〜第８熱動弁Ｖ１〜Ｖ８などを制御する。
【００４０】
上記入力端子２３０は、複数種類の外部入力信号が接続可能に設けられ、床冷暖房ユニット用制御装置２２０に有線または無線で接続されている。入力端子２３０に接続された外部入力信号は、入力端子２３０を介して、床冷暖房ユニット用制御装置２２０に送信される。
【００４１】
〔第１〜第８床冷暖房パネルＰ１〜Ｐ８の構成〕
上記第１〜第８床冷暖房パネルＰ１〜Ｐ８は、第１〜第８熱動弁Ｖ１〜Ｖ８を介して、温水(または冷水)の供給を受けて、温調ゾーンの冷暖房を行う。より詳しくは、第１〜第８床冷暖房パネルＰ１〜Ｐ８は、蛇行形状に形成された第１〜第８水循環パイプ３０１〜３０８を有する。この第１〜第８水循環パイプ３０１〜３０８内には、水熱交換器２０１からの温水(または冷水)が流れる。また、第１〜第８水循環パイプ３０１〜３０８の上流側の端部が、第１〜第８床冷暖房パネルＰ１〜Ｐ８の水入口を形成する。また、第１〜第８水循環パイプ３０１〜３０８の下流側の端部が、第１〜第８床冷暖房パネルＰ１〜Ｐ８の水出口を形成する。
【００４２】
ここで、上記温調ゾーンとは、第１〜第８水循環パイプ３０１〜３０８から温熱または冷熱が供給される空間を指す。
【００４３】
図２は上記リモートコントローラ４００の概略正面図を示している。
【００４４】
〔リモートコントローラ４００の構成〕
上記リモートコントローラ４００は、操作部４０１と、この操作部４０１上に設けられた表示部４０２とを備える。リモートコントローラ４００は、温調ゾーン単位で設置され、床冷暖房ユニット用制御装置２２０と有線または無線で通信を行う。
【００４５】
上記操作部４０１は、ゾーン選択ボタン４１１、表示切替ボタン４１２、運転／停止ボタン４１３、戻るボタン４１４、メニュー／決定ボタン４１５、上ボタン４１６、下ボタン４１７、右ボタン４１８および左ボタン４１９を有する。ユーザーが、ゾーン選択ボタン４１１、表示切替ボタン４１２、…および左ボタン４１９を操作すると、この操作に対応する操作信号が床冷暖房ユニット用制御装置２２０(図１に示す)へ出力される。すなわち、床冷暖房ユニット用制御装置２２０は、リモートコントローラ４００の操作部４０１から、ユーザーの操作に対応する操作信号を受信する。
【００４６】
図３は上記リモートコントローラ４００の画面表示を説明するための図を示している。
【００４７】
図３に示すように、表示部４０２は、第１画面４０３を表示している。なお、表示部４０２は、第１画面４０３と第２画面(図示せず)を切り替えて表示することが可能である。
【００４８】
この第１画面４０３および第２画面には、第１〜第８床冷暖房パネルＰ１〜Ｐ８(図１に示す)のうちの少なくとも１つの床冷暖房パネルに関わる情報を表示させることが可能である。また、第１画面４０３および第２画面には、第１〜第８床冷暖房パネルＰ１〜Ｐ８のうちの複数の床冷暖房パネルに関わる複数の情報を同時に表示可能である。ここで、上記情報とは、第１〜第８床冷暖房パネルＰ１〜Ｐ８が運転している否かを示す情報と、第１〜第８床冷暖房パネルＰ１〜Ｐ８のタイマー運転が設定されているか否かを示す情報と、第１〜第８床冷暖房パネルＰ１〜Ｐ８の運転モードを示す情報と、第１〜第８床冷暖房パネルＰ１〜Ｐ８の冷暖房能力の設定の情報とのうちの少なくとも１つを指す。
【００４９】
上記第１画面４０３には、中央の主要領域が縦方向に４分割されて、第１表示領域４３１と、第２表示領域４３２と、第３表示領域４３３および第４表示領域４３４が設けられている。一方、図示しない第２画面にも、第１画面４０３と同様に中央の主要領域が縦方向に４分割されて、第５表示領域、第６表示領域、第７表示領域および第８表示領域が設けられている。この第１〜第４表示領域４３１〜４３４および第５〜第８表示領域のそれぞれには、少なくとも、制御グループを示すアルファベットと、運転または停止の漢字と、冷暖房の能力設定目盛の図形とが表示される。
【００５０】
より詳しくは、図３の第１画面４０３では、第１床冷暖房パネルＰ１が制御グループＡに属し、第２床冷暖房パネルＰ２が制御グループＢに属し、第３床冷暖房パネルＰ３が制御グループＣに属し、第４床冷暖房パネルＰ４が制御グループＤに属するように設定されている。また、図示しない第２画面では、第５床冷暖房パネルＰ５が制御グループＥに属し、第６床冷暖房パネルＰ６が制御グループＦに属し、第７床冷暖房パネルＰ７が制御グループＧに属し、第８床冷暖房パネルＰ８が制御グループＨに属するように設定されている。
【００５１】
次の表１には、その第１〜第８床冷暖房パネルＰ１〜Ｐ８と制御グループＡ〜Ｈとの関係を示している。
【００５２】
【表１】
2016125728.tif 000003
【００５３】
この表１の制御グループ「Ａ」〜「Ｈ」は、リモートコントローラ４００の上ボタン４１６,下ボタン４１７,右ボタン４１８および左ボタン４１９の操作で変更可能になっている。例えば、「２」下の「Ｂ」を「Ａ」に変更すると、第１,第２床冷暖房パネルＰ１,Ｐ２が制御グループＡに属するように設定することが可能である。
【００５４】
上記第１〜第４表示領域４３１〜４３４および第５〜第８表示領域には、温調ゾーンの名称が表示されている。この温調ゾーンの名称は、制御グループに属する床冷暖房パネルで冷暖房される温調ゾーンの名称である。例えば、第１表示領域４３１の「１Ｆリビング１」は、第１床冷暖房パネルＰ１で温調される温調ゾーンの名称を示している。
【００５５】
上記第１〜第４表示領域４３１〜４３４および第５〜第８表示領域において、「運転」は、床冷暖房パネルが運転中であることを示す一方、「停止」は、床冷暖房パネルが停止中であることを示す。例えば、第３表示領域４３３の「停止」は、第３床冷暖房パネルＰ３が停止中で冷暖房を行っていないことを示している。
【００５６】
上記第３,第４表示領域４３３,４３４では、タイマー運転が設定されていることを時計の図形で示している。すなわち、第３,第４床冷暖房パネルＰ３,Ｐ４は、ユーザーが設定した時間に冷暖房を行うようになっている。
【００５７】
上記第１〜第４表示領域４３１〜４３４および第５〜第８表示領域には、第１〜第８床冷暖房パネルＰ１〜Ｐ８の運転モードが示される。
【００５８】
上記第１〜第４表示領域４３１〜４３４では、冷暖房の能力を設定する能力設定目盛の図形５０１〜５０４が表示されている(第５〜第８表示領域も同様)。例えば、第４表示領域４３４の目盛の図形５０４は、暖房運転時、第４床冷暖房パネルＰ４の暖房能力が最小となる設定であることを示す一方、冷房運転時、第４床冷暖房パネルＰ４の冷房能力が最大となる設定であることを示している。また、第１表示領域４３１の目盛の図形５０４は、暖房運転時、第１床冷暖房パネルＰ１の暖房能力が最大となる設定であることを示す一方、冷房運転時、第１床冷暖房パネルＰ１の冷房能力が最小となる設定であることを示している。
【００５９】
また、リモートコントローラ４００は、図１に示すように、外部入力設定部４０４を備える。外部入力設定部４０４は、ソフトウェアで構成されており、入力端子２３０に接続される外部入力信号の種類を設定すると共に、設定された外部入力信号を受信したときに放熱量または吸熱量の制御を行う温調ゾーンを設定する。
【００６０】
入力端子２３０に接続される外部入力信号の設定は、既定の外部入力信号の中から１つを選択することにより行う。この外部入力信号としては、例えば、「Ｅ−ｃｏｎ」、「結露センサ」あるいは「融雪センサ」がある。「Ｅ−ｃｏｎ」を選択すると、熱源である室外機１００から出力された温度制御信号が入力端子２３０に接続可能になる。「結露センサ」を選択すると、結露センサから出力された結露検出信号が入力端子２３０に接続可能になる。また、「融雪センサ」を選択すると、融雪センサから出された融雪信号が入力端子２３０に接続可能になる。
【００６１】
また、温調ゾーンの設定は、設定された外部入力信号を受信したときに放熱量または吸熱量の制御を行う温調ゾーンを選択することにより行う。例えば、外部入力設定部４０４により温調ゾーンＡ〜Ｄが選択された場合、表示部４０２には、次の表２に示すように、温調ゾーンＡ〜Ｄに対応するＯＮ／ＯＦＦの欄に「○」が表示され、温調ゾーンＥ〜Ｈに対応するＯＮ／ＯＦＦの欄に「−」が示された表が表示される。すなわち、ＯＮ／ＯＦＦの欄に「○」が示されている温調ゾーンでは、設定された外部入力信号を受信したときに放熱量または吸熱量の制御が行われ、ＯＮ／ＯＦＦの欄に「−」が示されている温調ゾーンでは、設定された外部入力信号を受信したときに放熱量または吸熱量の制御が行われない。
【００６２】
ユーザーにより、入力端子２３０に接続される外部入力信号、および、設定された外部入力信号を受信したときに放熱量または吸熱量の制御を行う温調ゾーンの設定が行われると、設定された内容を表す操作信号が、リモートコントローラ４００から床冷暖房ユニット用制御装置２２０に出力される。
【００６３】
次に、上記リモートコントローラ４００の冷暖房の能力設定目盛について図４,図５,図６により説明する。
【００６４】
図４に示すように、冷暖房の能力設定目盛は、左側から右側に向かって徐々に高くなる９つの棒状の目盛Ｍ１〜Ｍ９が階段状に配置されている。
【００６５】
暖房運転時、図４に示すように、９つの棒状の目盛Ｍ１〜Ｍ９が全て表示されているときは、対応する床冷暖房パネルの暖房能力が最大となる設定である。
【００６６】
一方、冷房運転時、図４に示すように、９つの棒状の目盛Ｍ１〜Ｍ９が全て表示されているときは、対応する床冷暖房パネルの冷房能力が最小となる設定である。
【００６７】
また、暖房運転時、図５に示すように、５つの棒状の目盛Ｍ１〜Ｍ５が表示されているときは、対応する床冷暖房パネルの暖房能力が最大と最小の中間となる設定である。
【００６８】
一方、冷房運転時、図５に示すように、５つの棒状の目盛Ｍ１〜Ｍ５が表示されているときは、対応する床冷暖房パネルの冷房能力が最大と最小の中間となる設定である。
【００６９】
また、暖房運転時、図６に示すように、１つの棒状の目盛Ｍ１が表示されているときは、対応する床冷暖房パネルの暖房能力が最小となる設定である。
【００７０】
一方、冷房運転時、図６に示すように、１つの棒状の目盛Ｍ１が表示されているときは、対応する床冷暖房パネルの冷房能力が最大となる設定である。
【００７１】
〔床冷暖房ユニット用制御装置２２０の構成〕
上記床冷暖房ユニット用制御装置２２０は、マイクロコンピュータおよび入出力回路などからなる。
【００７２】
床冷暖房ユニット用制御装置２２０は、図１に示すように、目標往き水温算出部２２１と、熱量制御部２２２とを備える。目標往き水温算出部２２１および熱量制御部２２２は、ソフトウェアで構成されている。
【００７３】
目標往き水温算出部２２１は、例えば、冷暖房負荷と、第１〜第８床冷暖房パネルＰ１〜Ｐ８の放熱量または吸熱量とに基づいて、リモートコントローラ４００の能力設定目盛に対応する目標往き水温を第１〜第８床冷暖房パネルＰ１〜Ｐ８毎に算出する。
【００７４】
熱量制御部２２２は、第１〜第８床冷暖房パネルＰ１〜Ｐ８に供給される温水または冷水の温度を決定する水温決定部２２３と、第１〜第８熱動弁Ｖ１〜Ｖ８のオンオフを制御する熱動弁制御部２２４とで構成されている。この熱量制御部２２２は、第１水温センサ２１２により検出された往き水温が、目標往き水温算出部２２１によって算出された目標往き水温となるように、第１〜第８床冷暖房パネルＰ１〜Ｐ８の放熱量または吸熱量を制御する。
【００７５】
水温決定部２２３は、設定されている目標室内温度に基づいて、第１〜第８床冷暖房パネルＰ１〜Ｐ８に供給する温水または冷水の温度を決定すると共に、この決定の結果を水温設定信号として出力し、室外機用制御装置１２０に送信する。水温設定信号を受信した室外機用制御装置１２０によって、圧縮機１０１の運転周波数および電動膨張弁１０４の開度が制御され、決定された温度の温水または冷水が第１〜第８床冷暖房パネルＰ１〜Ｐ８に供給される。なお、第１〜第８床冷暖房パネルＰ１〜Ｐ８に供給する温水または冷水の温度については、リモートコントローラ４００により上下限値を設定することができる。
【００７６】
熱動弁制御部２２４は、目標往き水温算出部２２１により算出された目標往き水温に基づいて、第１〜第８床冷暖房パネルＰ１〜Ｐ８に対応する熱動弁Ｖ２〜Ｖ８のオンオフのデューティー比を制御する。詳しくは、第１水温センサ２１２により検出される水温が目標往き水温となるような温水または冷水を第１〜第８床冷暖房パネルＰ１〜Ｐ８に供給すると共に、温水または冷水を供給している第１〜第８床冷暖房パネルＰ１〜Ｐ８に対応する第１〜第８熱動弁Ｖ１〜Ｖ８のオンオフを２０分間隔で繰り返すように制御して、第１〜第８熱動弁Ｖ１〜Ｖ８のオフ時間を調整する。これにより、目標往き水温算出部２２１により算出された目標往き水温の温水または冷水が２０分間連続で供給されたときと同じ熱量の温水または冷水が、第１〜第８床冷暖房パネルＰ１〜Ｐ８に供給されるようにする。
【００７７】
〔暖房（冷房）運転時の制御〕
続いて、上記構成の温調システムの暖房（冷房）運転時の制御について説明する。まず、目標往き水温算出部２２１が、リモートコントローラ４００の冷暖房の能力設定目盛に対応する目標往き水温を第１〜第８床冷暖房パネルＰ１〜Ｐ８毎に算出する。
【００７８】
次に、第１水温センサ２１２により検出される往き水温が、上記目標往き水温算出部２２１により算出された第１〜第８床冷暖房パネルＰ１〜Ｐ８の目標往き水温のうち、最も高い（最も低い）目標往き水温になるように、熱量制御部２２２が第１〜第８床冷暖房パネルＰ１〜Ｐ８の放熱量（吸熱量）を制御する。
【００７９】
例えば、第１〜第８床冷暖房パネルＰ１〜Ｐ８のうち、第１床冷暖房パネルＰ１の目標往き水温が最も高い（最も低い）目標往き水温、すなわち、最高目標往き水温（最低目標往き水温）であるとする。この場合、第１水温センサ２１２により検出される往き水温が第１床冷暖房パネルＰ１の目標往き水温になるように、水温決定部２２３によって第１〜第８床冷暖房パネルＰ１〜Ｐ８に供給される温水（冷水）の温度が制御される。そして、冷暖房ユニット用制御装置２２０によって循環ポンプ２０３がオンされると共に、熱動弁制御部２２４によって第１床冷暖房パネルＰ１に対応する熱動弁Ｖ１が全開にされる。
【００８０】
また、他の第２〜第８床冷暖房パネルＰ２〜Ｐ８に対応する熱動弁Ｖ２〜Ｖ８は、それぞれに対応する目標往き水温に基づいて、熱動弁制御部２２４によりオンオフ制御される。このとき、熱動弁制御部２２４は、第２〜第８床冷暖房パネルＰ２〜Ｐ８夫々の算出された目標往き水温に基づいて、対応する熱動弁Ｖ２〜Ｖ８のオンオフのデューティー比を制御する。これにより、第１〜第８床冷暖房パネルＰ１〜Ｐ８に供給される温水（冷水）が最高目標往き水温（最低目標往き水温）であったとしても、各床冷暖房パネルＰ１〜Ｐ８に対して、算出された目標往き水温の温水（冷水）が連続的に供給された状態に等しい熱量の温水（冷水）を供給できる。
【００８１】
〔外部入力信号に基づく制御〕
次に、入力端子２３０に接続された外部入力信号を受信したときの制御について説明する。ここでは一例として、「Ｅ−ｃｏｎ」、「結露センサ」および「融雪センサ」が外部入力信号として接続された場合を説明する。
【００８２】
（Ｅ−ｃｏｎ）
外部入力信号として「Ｅ−ｃｏｎ」が選択され、熱源である室外機１００から出力された温度制御信号が入力端子２３０に接続されると、この温度制御信号は、入力端子２３０を介して冷暖房ユニット用制御装置２２０に送信される。
【００８３】
温度制御信号を受信した冷暖房ユニット用制御装置２２０は、受信した温度制御信号に基づいて、床冷暖房パネルＰ１〜Ｐ８の放熱量または吸熱量を制御する。詳しくは、熱量制御部２２２の水温決定部２２３および熱動弁制御部２２４が、外部入力設定部４０４により設定された温調ゾーンの床冷暖房パネルＰ１〜Ｐ８に供給される温水または冷水の温度および供給量を制御する。このため、例えば室外機１００に異常が発生したときに、床冷暖房パネルＰ１〜Ｐ８へ供給される温水の温度を低下させたり、床冷暖房パネルＰ１〜Ｐ８への温水の供給を停止したりできる。これにより、事故等を未然に防ぐことができる。
【００８４】
（結露センサ）
外部入力信号として「結露センサ」が選択され、結露センサから出力された結露検出信号が入力端子２３０に接続されると、結露検出信号は、入力端子２３０を介して冷暖房ユニット用制御装置２２０に送信される。
【００８５】
結露検出信号を受信した冷暖房ユニット用制御装置２２０は、受信した結露検出信号に基づいて、床冷暖房パネルＰ１〜Ｐ８の放熱量または吸熱量を制御する。詳しくは、熱量制御部２２２の水温決定部２２３および熱動弁制御部２２４が、外部入力設定部４０４により設定された温調ゾーンの床冷暖房パネルＰ１〜Ｐ８に供給される冷水の温度および供給量を制御する。このため、床冷暖房パネルＰ１〜Ｐ８上の床面あるいは冷水が流れる配管等に結露が発生したときに、冷暖房パネルＰ１〜Ｐ８に供給される冷水の温度を上昇させたり、冷暖房パネルＰ１〜Ｐ８への冷水の供給量を低減したりできる。これにより、結露により引き起こされる導通不良等の不具合の発生を防止できる。
【００８６】
なお、このような結露検出信号に基づく床冷暖房パネルＰ１〜Ｐ８の吸熱量の制御は、床冷暖房パネルＰ１〜Ｐ８の運転が停止しているとき、すなわち、ユーザーのリモートコントローラ４００の操作に基づいて温調システムを運転していないときに行われる。
【００８７】
なお、結露センサは、床冷暖房パネルＰ１〜Ｐ８上の床面あるいは冷水が流れる配管近傍の電装品など、結露の発生により不利益を被る場所に配置されているのが好ましい。
【００８８】
（融雪センサ）
外部入力信号として「融雪センサ」が選択され、融雪センサから出力された融雪信号が入力端子２３０に接続されると、融雪信号は、入力端子２３０を介して冷暖房ユニット用制御装置２２０に送信される。
【００８９】
融雪信号を受信した冷暖房ユニット用制御装置２２０は、受信した融雪信号に基づいて、融雪パネルである床冷暖房パネルＰ１〜Ｐ８の放熱量または吸熱量を制御する。詳しくは、熱量制御部２２２の水温決定部２２３および熱動弁制御部２２４が、外部入力設定部４０４により設定された温調ゾーンの融雪パネルＰ１〜Ｐ８に供給される温水の温度および供給量を制御する。このため、融雪パネル上の雪を除去できる。
【００９０】
融雪パネルＰ１〜Ｐ８には、上限値を摂氏２０度、下限値を摂氏１０度とした場合の現在設定されているリモートコントローラ４００の冷暖房の能力設定目盛に対応した水温（以下、対応融雪水温という）の温水が供給される。
【００９１】
例えば、図４に示すように、９つの目盛Ｍ１〜Ｍ９が全て表示部４０２に表示されているとき、対応融雪水温は摂氏２０度であり、水温摂氏２０度の温水が融雪パネルＰ８に供給される。また、図５に示すように、５つの目盛Ｍ１〜Ｍ５が表示部４０２に表示されているとき、対応融雪水温は摂氏１５度であり、水温摂氏１５度の温水が融雪パネルＰ８に供給される。さらに、図６に示すように、１つの目盛Ｍ１が表示部４０２に表示されているとき、対応融雪水温は摂氏１０度であり、水温摂氏１０度の温水が融雪パネルＰ８に供給される。
【００９２】
融雪水温、すなわち、水温摂氏約１０度〜２０度の温水は、暖房運転時に床冷暖房パネルに供給される一般的な温度の温水（摂氏約６５度〜８０度の温水）と比較して、高いエネルギー消費効率で生成できる。このため、融雪パネルの運転を低コストで行える。
【００９３】
なお、融雪パネルＰ８は、屋根あるいは駐車場などの屋外に設置され、冷暖房ユニット用制御装置２２０によって、融雪パネルＰ８上に積もった雪を溶かすように、あるいは、融雪パネルＰ８上に雪が積もらないように、放熱量が制御される。また、融雪パネルＰ８は、１つに限らず、複数設置できる。
【００９４】
また、融雪センサは、融雪パネルＰ８上の雪を溶かすための指令信号を検出する。指令信号は、例えば、降雪を検出する降雪センサが、融雪パネルＰ８に雪が降っていることを検出した場合、あるいは、融雪パネルＰ８上の温度を検出する温度センサが、融雪パネルＰ８上の温度が所定値以下（例えば０度以下）であることを検出した場合に、降雪センサあるいは温度センサから出力される。
【００９５】
上記温調システムでは、第１〜第８床冷暖房パネルＰ１〜Ｐ８を全て融雪パネルとして設けたが、これに限らない。例えば、屋内に設置される冷暖房パネルと屋外に設置される融雪パネルとを並設してもよい。ここでは、一例として、第１〜第７床冷暖房パネルＰ１〜７を屋内に設置し、第８床冷暖房パネルＰ８を融雪パネルＰ８として屋外に設置した場合について説明する。
【００９６】
冷暖房ユニット用制御装置２２０は、融雪信号を受信すると、ユーザーの操作に対応する操作信号に基づいて第１〜第７床冷暖房パネルＰ１〜Ｐ７の運転が行われているか否かを判定する。
【００９７】
冷暖房ユニット用制御装置２２０が融雪信号を受信したときに、第１〜第７床冷暖房パネルＰ１〜Ｐ７の運転が行われていないと判定された場合、冷暖房ユニット用制御装置２２０は、冷暖房パネルに供給される温水の設定水温の上下限値にかかわらず、例えば、水温の上限値を２０度に、下限値を１０度に変更する。そして、熱量制御部２２２の水温決定部２２３が制御されて、対応融雪水温の温水が融雪パネルＰ８に供給される。この融雪パネルＰ８への温水の供給は、冷暖房ユニット用制御装置２２０が融雪信号を受信しなくなるまで行われる。
【００９８】
一方、冷暖房ユニット用制御装置２２０が融雪信号を受信したときに、第１〜第７床冷暖房パネルＰ１〜Ｐ７の運転が行われていた場合、冷暖房ユニット用制御装置２２０は、冷暖房パネルに供給される温水の設定水温の上下限値を変更することなく、第１〜第７床冷暖房パネルＰ１〜Ｐ７の制御を行う。
【００９９】
なお、融雪パネルＰ８に対応融雪水温の温水を供給しているときに、リモートコントローラ４００からユーザーの操作に対応する操作信号が出力されると、冷暖房ユニット用制御装置２２０は、第１〜第７床冷暖房パネルＰ１〜Ｐ７の制御を優先して行う。すなわち、冷暖房ユニット用制御装置２２０は、水温決定部２２３を制御して、リモートコントローラ４００により設定されている水温の上下限値およびリモートコントローラ４００の冷暖房の能力設定目盛に基づいた水温の温水を第１〜第７床冷暖房パネルＰ１〜Ｐ７に供給する。このとき、融雪パネルＰ８に供給される温水は、目標往き水温算出部２２１により算出された第１〜第７床冷暖房パネルＰ１〜Ｐ７の目標往き水温の最高目標往き水温となるように制御される。これにより、融雪パネルＰ８に対応する熱動弁Ｖ８を細かく制御する必要がなくなる。
【０１００】
このように、融雪パネルＰ８には、第１〜第７床冷暖房パネルＰ１〜Ｐ７の運転が行われている場合、最高目標往き水温の温水が供給され、第１〜第７床冷暖房パネルＰ１〜Ｐ７の運転が行われていない場合、融雪水温の温水が供給される。これにより、融雪パネルの運転を低コストで行える。
【０１０１】
〔変形例〕
上記実施形態では、既定の外部入力信号の出力先の中から１つを選択することにより、入力端子２３０に接続される外部入力信号の設定を行っているが、これに限らない。可能ならば、外部入力信号の設定を省略してもよい。
【０１０２】
また、上記実施形態では、入力端子２３０は、「Ｅ−ｃｏｎ」、「結露センサ」あるいは「融雪センサ」に限らず、他の外部入力信号を接続できる。
【０１０３】
上記実施形態では、暖房運転と冷房運転を行う温調システムについて説明したが、暖房運転または冷房運転のいずれか一方のみを行う温調システムにこの発明を適用してもよい。
【０１０４】
また、上記実施形態では、リモートコントローラ４００により床冷暖房ユニット２００を遠隔操作したが、コントローラはこれに限らず、床冷暖房ユニットに設けられたコントローラであってもよい。
【０１０５】
また、上記実施形態では、冷暖房ユニット用制御装置２２０の目標往き水温算出部２２１および熱量制御部２２２をソフトウェアで構成したが、これに限らない。例えば、目標往き水温算出部および熱量制御部の少なくとも１つをハードウェアで構成してもよい。
【０１０６】
また、上記実施形態では、リモートコントローラ４００の外部入力設定部４０４をソフトウェアで構成したが、これに限らない。例えば、外部入力設定部をハードウェアで構成してもよい。
【０１０７】
また、上記実施形態では、床冷暖房ユニット２００の水熱交換器２０１にプレート式水熱交換器を用いたが、二重管式水熱交換器などの他の水熱交換器を用いてもよい。
【０１０８】
また、上記実施形態において、冷媒圧センサ２１５の代わりに、圧力スイッチを設けてもよい。
【０１０９】
また、上記実施形態では、室外機１００の冷媒回路に電動膨張弁１０４を設けていたが、膨張機構の一例としての例えばキャピラリチューブを設けてもよい。
【０１１０】
また、上記実施形態において、第１〜第８床冷暖房パネルＰ１〜Ｐ８のうちの少なくとも一つを、天井冷暖房パネル、天井冷房パネル、天井暖房パネル、壁冷暖房パネル、壁冷房パネル、壁暖房パネル、または、室内設置型ラジエータなどの熱交換端末に換えてもよい。
【０１１１】
また、上記実施形態において、室外機用制御装置１２０と床冷暖房ユニット用制御装置２２０の間の通信は、有線で行ってもよいし、無線で行ってもよい。
【０１１２】
また、上記実施形態において、開閉弁として第１〜第８熱動弁Ｖ１〜Ｖ８を用いた温調システムについて説明したが、開閉弁はこれ限らず、電磁弁などの他の開閉機構を用いてもよい。
【０１１３】
上記実施形態および変形例で述べた構成要素は、適宜、組み合わせてもよく、また、適宜、選択、置換、あるいは、削除してもよいのは、勿論である。
【符号の説明】
【０１１４】
１００…室外機
１０１…圧縮機
１０２…四路切換弁
１０３…室外熱交換器
１０４…電動膨張弁
１０５…アキュムレータ
１０６…第１温度センサ
１０７…第２温度センサ
１０８…第３温度センサ
１０９…第４温度センサ
１１０…室外温度センサ
１２０…室外機用制御装置
２００…床冷暖房ユニット
２０１…水熱交換器
２０２…膨張タンク
２０３…循環ポンプ
２０４…往きヘッダ
２０５…戻りヘッダ
２１１…水回路
２１２…第１水温センサ
２１３…第２水温センサ
２１４…冷媒温度センサ
２１５…冷媒圧センサ
２２０…床冷暖房ユニット用制御装置
２２１…目標往き水温算出部
２２２…熱量制御部
２２３…水温決定部
２２４…熱動弁制御部
２３０…入力端子
４００…リモートコントローラ
４０１…操作部
４０２…表示部
４０３…第１画面
４０４…外部入力設定部
４３１…第１表示領域
４３２…第２表示領域
４３３…第３表示領域
４３４…第４表示領域
５０１〜５０４…能力設定目盛の図形
Ｖ１…第１熱動弁
Ｖ２…第２熱動弁
Ｖ３…第３熱動弁
Ｖ４…第４熱動弁
Ｖ５…第５熱動弁
Ｖ６…第６熱動弁
Ｖ７…第７熱動弁
Ｖ８…第８熱動弁
Ｖ９…水抜き栓
Ｐ１…第１床冷暖房パネル
Ｐ２…第２床冷暖房パネル
Ｐ３…第３床冷暖房パネル
Ｐ４…第４床冷暖房パネル
Ｐ５…第５床冷暖房パネル
Ｐ６…第６床冷暖房パネル
Ｐ７…第７床冷暖房パネル
Ｐ８…第８床冷暖房パネル（融雪パネル）
【図１】
2016125728.tif 000004
【図２】
2016125728.tif 000005
【図３】
2016125728.tif 000006
【図４】
2016125728.tif 000007
【図５】
2016125728.tif 000008
【図６】
2016125728.tif 000009